(57)【特許請求の範囲】
【請求項１】
外刃を備えた刃ユニットの設定高さを調整可能に構成するとともに本体ハウジングの正面側に操作スイッチを設けた電気かみそりであって、刃ユニットの高さを調整させるダイヤルを本体ハウジングの中央より刃ユニット側に設け且つ本体ハウジングの幅方向の中央部に位置させて成ることを特徴とする電気かみそり。
【請求項２】
外刃を備えた刃ユニットの高さを調整可能に構成した電気かみそりであって、ダイヤルの裏面に偏心カム溝を設け、刃ユニット側に偏心カム溝に挿入される係合突起を設け、偏心カム溝に係合突起を挿入してダイヤルの回転によって刃ユニットを昇降可能に構成し、刃ユニットの高さを最も低い位置にする偏心カム溝とダイヤルの中心との距離を最小にしたことを特徴とする電気かみそり。
【請求項３】
ダイヤルの裏面の偏心カム溝を円形に形成するとともにダイヤルの中心から偏心させて設けて成ることを構成とする請求項２記載の電気かみそり。
【請求項４】
ダイヤルの表面に凹凸部を形成したことを特徴とする請求項１乃至３のいずれかに記載の電気かみそり。
【請求項５】
凹凸部を弾性材料にて形成させて成ることを特徴とずる請求項４記載の電気かみそり。
【請求項６】
ダイヤルにダイヤルの回転に伴う刃ユニットの高さを表示する手段を設けて成ることを特徴とする請求項１乃至５のいずかに記載の電気かみそり。
【発明の詳細な説明】
【０００１】
【発明の属する技術分野】
本発明は、電気かみそりに関し、詳しくは、外刃を備えた刃ユニットの設定高さを調整可能に構成した電気かみそりに関し、更に、詳しくは、刃ユニットの設定高さの変更の操作を容易におこなえるようにして使いやすくしようとする技術に係るものである。
【０００２】
【従来の技術】
従来、外刃を昇降（フロート）可能に支持されている電気かみそりは古くから数多く実用化されている。その狙いとするところは、昇降する外刃をばね付勢されて内刃に対して押圧することにより、肌の凹凸に対して柔らかく当たるために肌当たりが良く、かつ肌と外刃との密着性を高めるために剃り残しを少なくすることができることである。
【０００３】
しかしながら、従来の技術においては内刃を押し上げるばね力は一つの商品において固定されているため、使用者それぞれの髭の濃さ、剃り方、押し付け方に対して最適値となっていないことが多い。
【０００４】
しかして、押し付け方が弱い人では、全くフロートしない状態で使われていたり、髭の特に濃い人で押し付けの強い人では内刃押上力が弱いために内刃が下に逃げてしまい、切れ味を悪くしてしまうという問題がある。それぞれの人の特性に応じて刃の位置を調整できるようにするための技術としては、特許掲載公報第２７２６４７６号にて一例が示されている。
【０００５】
この例では、外側髭剃り部材を取付プレートに着脱自在に連結して、外側髭剃り部材と取付プレートの間隔を一定に保ったまま、取付プレートと一体に外側髭剃り部材をホルダに対して、両軸線方向に調整自在となしたことを特徴としている。この効果としては、同公報の第７図、第８図に示されるように、ホルダの上面と外側髭剃り部材の上面の位置関係を変化させることにより、肌を押し当てたときにホルダの上面で肌を受けとめることができるために、相対的に外側髭剃り部材と肌との接触圧が緩和され、肌が外側髭剃り部材の刃穴から侵入し内側髭剃り部材によりこすられて刺激が発生するのを防止することができる。
【０００６】
しかしながら、この例では外側髭剃り部材だけでなく、ホルダの上面によっても肌を受け止めることができるように、外側髭剃り部材の周囲のホルダ上面が外側髭剃り部材とほぼ同一面となってしまい、鼻下やもみあげの際部を剃ることができなくなってしまう。
【０００７】
また、ホルダ全体の面積が大きいために、あご下等の凹部においては、ホルダの外側だけが肌に当たり、本来、肌にしっかりと当たるべき外側髭剃り部材が肌に密着しなくなってしまい、剃り残しが多くなってしまうという欠点を有している。
【０００８】
上記のような問題に対して、外刃とその周囲を取りまくホルダの位置関係を変えずに、ばね力だけを調整できるよにした構造としては、特許掲載公報第２７２６４７７号や、特開昭６０−１７６６７９号が挙げられる。
【０００９】
前者の例は、外側髭剃り部材のフロートばね力を発生させるための弾性素子の剛性を調整できるようにしたものであるが、弾性素子の大きさが限られているために、調整できる範囲はあまり大きく取ることができず、使用者の使い方のばらつきに対しては非常に小さな調整となってしまう。
【００１０】
後者の例は、内刃押上ばねの下点を移動可能にして、外刃に対する内刃の押上力を調整可能にしたものであるが、押上ばねの下点を上または下方向に移動させるための構造物が必ず、摺動してしまう。
【００１１】
このことにより、無駄な負荷を発生させて電池を消耗させてしまい、また不快な騒音を発生させるという問題を有している。
【００１２】
外刃のフロートの下死点の位置を変えることにより、外刃のフロート量だけを調整可能にした例としては、特開昭６１−５０７０１号が挙げられる。この例では、ホルダーとハウジングを結合させる時の向きを変えることにより、外刃のフロートの下死点を変えることができるものである。
【００１３】
しかしながら、この技術手段ではフロート力や内刃押上力を変えることができないために、髭をカットする性能は変化せず、一定使用者の髭の濃さ、長さ、剃り方のばらつきに対応することは不可能である。これらの手段を用いた商品として刃ユニット上での高さ調整ができるタイプも存在するが、予め刃の高さを調整しておく必要があり、シェービング時において部分的に高さを調整したいとか、粗剃り〜仕上げ剃りで高さを調整したい時には、一旦、シェービングを中断しなければならなかった。
【００１４】
そこで、図１９に示すように、ベルトＶを回転させることで外刃１４を備えたユニット８０を昇降させるものがあるが、ベルトＶを回転させる操作をが面倒であり、使い難いものであった。
【００１５】
【発明が解決しようとする課題】
本発明は上記の問題点に鑑み為されたものであり、その目的とするところは、使用者の髭の濃さや髭の長さ、肌のデリケート度合い、肌への押付力のばらつきに対し、使用者が刃ユニットの高さを意図的に調整することにより、最適な外刃フロート力の内刃押上力に調整して、個々の使用者、使用状態において最適な髭剃り道具に設定できるようにすることであり、このようにする場合に、刃ユニットの設定高さの変更の操作を容易におこなえるようにして使いやすくする電気かみそりを提供することを課題とするものである。
【００１６】
【課題を解決するための手段】
請求項１においては、外刃１４を備えた刃ユニット９の設定高さを調整可能に構成するとともに本体ハウジング１の正面側に操作スイッチ８を設けた電気かみそりであって、刃ユニット９の高さを調整させるダイヤル５３を本体ハウジング１の中央より刃ユニット９側に設け且つ本体ハウジング１の幅方向の中央部に位置させてあることを特徴とするものである。このような構成によれば、刃ユニット９の高さの設定はダイヤル５３の操作によっておこなうことができるのであり、使用者が刃ユニット９の高さを意図的に調整することができることから、使用者の髭の濃さや髭の長さ、肌のデリケート度合、肌への押付力のばらつきに対処することができるのであり、しかも、ダイヤル５３は本体ハウジング１の中央より刃ユニット９側に設けてあることから、電気かみそりＡを持ちながら持ち手でダイヤル５３の操作を簡単におこなうことができる。
【００１７】
その上、ダイヤル５３は本体ハウジング１の幅方向の中央部に位置させてあるから、使用者の利き手を問わない。
【００１８】
請求項２においては、外刃１４を備えた刃ユニット９の高さを調整可能に構成した電気かみそりであって、ダイヤル５３の裏面に偏心カム溝５２を設け、刃ユニット９側に偏心カム溝５２に挿入される係合突起３３を設け、偏心カム溝５２に係合突起３３を挿入してダイヤル５３の回転によって刃ユニット９を昇降可能に構成し、刃ユニット９の高さを最も低い位置にする偏心カム溝５２とダイヤル５３の中心との距離を最小にしたことを特徴とするものである。このような構成によれば、外刃１４に対して内刃４を押上げるばね力の反力により刃ユニット９の高さが低い時ほど更に高さを引き下げる方向の操作力が大きくなるのであるが、偏心カム溝５２のダイヤル５３の回転中心からの距離を刃ユニット９の設定高さ位置を最も低い位置にする際の溝部の距離が最小になっていて、刃ユニット９の高さを引き下げる操作力を小さくすることができる。
【００１９】
請求項３においては、ダイヤル５３の裏面の偏心カム溝５２を円形に形成するとともにダイヤル５３の中心から偏心させて設けてあることを特徴とするものである。このような構成によれば、ダイヤル５３の操作は同一方向への回転で刃ユニット９の高さを自在に切り替えることができる。
【００２０】
請求項４においては、ダイヤル５３の表面に凹凸部５３ａを形成したことを特徴とするものである。このような構成によれば、ダイヤル５３の回転操作性を高めることができる。
【００２１】
請求項５においては、凹凸部５３ａを弾性材料にて形成させてあることを特徴とするものである。このような構成によれば、ダイヤル５３の回転操作性を良好にかつ指当たりの刺激緩和を図ることができる。
【００２２】
請求項６においては、ダイヤル５３に刃ユニット９の高さを表示する手段１５を設けてあることを特徴とするものである。このような構成によれば、ダイヤル５３の回転位置によって刃ユニット９の設定高さを目視によって分かり、使いやすい。
【００２３】
要するに本発明においては、刃ユニット９を本体ハウジング１に対してフロート方向に位置変更可能にしたことから、使用者の髭の濃さや髭の長さ、肌のデリケート度合い、肌への押付カのばらつきに対し、使用者が刃ユニット９の高さを簡単な操作で意図的に調整することにより、最適な外刃フロート力と内刃押上力に調整して、個々の使用者、使用状態において最適な電気かみそりを提供することを特徴とするものである。
【００２４】
【発明の実施の形態】
以下、本発明の実施の形態を説明する。
【００２５】
(本体構造)
筒状のハウジング１の内部に蓄電池２及びリニアモータ３、蓄電池２とリニアモータ３と回路基板２６を保持する基台５を格納する。リニアモータ３にはその上部に駆動力を内刃４に伝達する駆動子１２が設けられている。本実施の形態において、駆動源はリニアモータ３としているが、回転式モータであってもよい。
【００２６】
リニアモータ３の下部と基台５の上部が結合された状態で、ハウジング１の上側からの刃取付台６、下側から下カバーで開口部を塞ぎ、ねじで固定される。本体ハウジング１の上部は刃取付台６で、本体ハウジング１の下部は下カバー７で開口部を塞ぐ構造とする。
【００２７】
本体ハウジング１の前面には押し釦式のスイッチ８と、スイッチ８部材を覆う前面パネル２９を備え、本体ハウジング１の背部にはトリマ１０をスライド自在に配設した構成とする。刃取付台６の上部には外刃フレーム１１をねじを用いて固定する。刃取付台６、外刃フレーム１１にはそれぞれ開口部があり、リニアモータ３の駆動子１２がその開口部を貫通し、駆動子防水ゴム１３の内側のＯリング部４８が駆動子１２の防水シール部４９に嵌合し、駆動子防水ゴム１３の外周部５０が外刃フレーム１１にはさまれる構造としている。
【００２８】
また刃取付台６と本体ハウジング１はその中間部でＯリング２８を挟んで、また上側では前面パネル２９と上リングを挟んで固定される。下カバー７は本体ハウジング１との合わせ面となる外周部とネジ穴部にゴムを一体成形したりＯリング１１２で組み立てることにより本体ハウジング１の内部を防水とすることができる。
【００２９】
駆動子１２には内刃押上ばね２２がばね止め部材４０とともに配設されており、その弾力で常に外刃１４に対し内刃４を押し付けることができ、また駆動子１２の駆動部分の側面にはトリマ駆動桿１１５とスリット刃駆動桿を取付け、それぞれトリマ刃１０とスリット外刃４０に駆動を伝達できるようにする。
【００３０】
(刃部構造)
ヘッド部は、前後外側に２つのネット刃ユニット８０、８０、中央にスリット刃ユニット８１、これらの刃ユニット８２をフロート自在に支持する保持カセット１８からなる刃ユニット９で構成される。ネット刃ユニット８０は、外刃１４と、外刃１４をヒートシール固定した内カセット１６にネットカバー８３を取り付けて一体化されている。
【００３１】
スリット刃ユニット８１は、スリット外刃４４、スリット内刃８４、スリット継手、スリット押上ばね４５、スリット押し上げ部材などから構成されており、スリット押し上げばねを介して、保持カセット１８にフロート自在に保持される。
【００３２】
ネット刃ユニット８０は、保持カセット１８の係合溝とネットカバー８３のリブが係合することにより、フロート自在に保持される。保持カセット１８には本体ハウジング１との着脱を行なう為の係合フック８５を長手方向両端の２ヶ所に設けて着脱を行なう。
【００３３】
(高さ調整構造)
本体ハウジング１側は刃取付台６の外周と前面パネル２９の内周に囲まれた位置に、切替板(スライドプレート)２１を上下方向に配設している。切替板２１は、略コの字状をしており、その内周に接する形のスライドフック２５が併設されている。スライドフック２５の両端部は外刃フレーム１１の開口孔７０を貫通して上面から保持カセット１８の係合部２０と係合する係止フック３１を備えている。
【００３４】
切替板２１の前面部には、その中央付近にスライドフック２５に設けた係合突起３３と係合できる係合孔３２が設けられている。切替板２１の両端部には上下方向に長いトラック形状の長穴２４を設けておき、スライドフック２５に設けたフロート用の丸いボス３０と上下方向にフロート可能に嵌合する。
【００３５】
スライドフック２５は左右２箇所に保持カセット１８との係上フック部３１を備えるが、切換板２１との接続は両端部におけるボス３０と長孔２４によるフロート嵌合だけでなく、切換板２１の中央部に設けた係合穴３２を貫通して固定接合を行う係合突起３３でも行う。ただし係合突起３３の固定部と両サイドのスライドフック２５における接続は保持カセット１８のフロート性を損なわないよう弾性を有する弾性脚部３４でおこなう。切換板２１の外面にスライドフック２５に設けた係合突起３３と係合できる偏心カム溝５２を設けたダイヤル５３を設置するものである。
【００３６】
(ダイヤル位置)
ダイヤル５３は、本体ハウジング１の前面側(操作スイッチ８側)で本体長手方向を中央部に対して刃ユニット９（内刃４、刃取付台６、外刃１４、保持カセット１８及び切替板２１等で構成されている）寄りに回転自在に配置されている。本体長手方向を中央部に対して他端寄りを本体グリップ部２９ｂとするのであり、グリップ部２９ｂを片手で持ち、親指で操作スイッチ８を押した後に持ち替えること無く、ダイヤル５３の操作が容易におこなえる位置に設定している。また、本体幅方向の中央位置にあることで、右利き・左利き、あるいは指の長さ等の個人の使い勝手に影響されることなく、万人が使いやすい配置としている。
【００３７】
(ダイヤル操作力均等化)
ダイヤル５３は、刃取付台６より突出したボス６ａと前面パネル２９の凹部に構成される円形穴７７に回転自在に保持される。ダイヤル５３の裏面(本体ハウジング１と接する面)には、略円形の偏心カム溝５２がダイヤル５３の中心に対して偏心して形成されておりこの偏心カム溝５２は、スライドフック２５の係合突起３３に係合するものである。この状態で保持カセット１８が組み立てられた場合には、ダイヤル５３を回転させることで刃ユニット９全体が上下に動くこととなる。
【００３８】
本実施例における操作機構部においては、切換板２１とスライドフック２５の固定接続を行うための係合突起３３をカム軸として偏心カム溝５２に組合すことで刃ユニット９の上下動機構の接続構造となり２部品の固定をするための機能と刃ユニット９の上下動機構の動力伝連機能を兼ねることができる。偏心カム溝５２は図１６に示すような弧状でもよいが、図１７に示すように、回転中心を囲んで両端を結んだ円形状とすることでダイヤル５３の回転操作は制限なくまわすことができるようになる。ダイヤル５３の操作は同一方向への回転により刃ユニット９の取り付け高さを上げたり下げたりすることができるようにをよくすることができる。
【００３９】
ところで、ダイヤル５３の裏面の偏心カム溝５２を形成する際は、刃ユニット９の設定位置を最も低い位置にする偏心カム溝５２の溝部をダイヤル５３の回転中心からの距離がもっとも小さくなるように設定するものである。ダイヤル５３の操作はダイヤル５３の外周部で行うが、支点となるカム軸（係合突起３３）は回転中心に対して近ければ近いほど操作力を小さくできる。
【００４０】
ところで、外刃１４に対して内刃４を押上るばね２２の反力により刃ユニット９の高さが低い時ほどさらに高さを引き下げる方向の操作力が大きくなるが、偏心カム溝５２のダイヤル５３の回転中心からの距離において、刃ユニット９の設定位置を最も低い位置にする際の溝部の距離を最小にすることで刃ユニット９の高さを引き下げる操作力を少なくすることができるのである。
【００４１】
ところで、図１８に示すように、ダイヤル５３の偏心カム溝５２において角度によって曲率の異なる略円形状で構成し、その際、刃ユニット９の設定位置を最も低い位置にする溝部の曲率を最大に設定する。
【００４２】
ダイヤル５３の操作力は偏心カム溝５２の単位角度当たりの回転中心からの距離の変化量が小さいほど小さくすることができる。
【００４３】
角度によって曲率の異なる略円形で構成された偏心カム溝５２においては、曲率が大きければ単位角度あたりの回転中心からの距離の変化量が小さくなるためその溝部を刃ユニット９の設定位置を最も低い位置にすることで刃ユニット９の高さを引き下げるための操作力を小さくすることができる。
【００４４】
（ダイヤル凹凸）
図１２に示すように、ダイヤル５３の表面は、その回転操作性を高める凹凸部５３ａで形成されている。凹凸部５３ａの形状は、ダイヤル５３の中心部より外周に向けて放射状に複数のリブ５３ｂを形成している。この複数のリブ５３ｂに指を掛けることにより指がダイヤル５３に対して滑りにくくなり、回転操作が確実になる。リブ５３ｂは複数を平行に並置するものであってもよい。
【００４５】
（ダイヤル弾性部材）
図１４は他の実施の形態を示し、ダイヤル５３の表面は、弾性部材５３ｃで覆われている。弾性部材５３ｃの表面には、回転操作性を高めるための凹凸５３ｄが設けられている。弾性部材５３ｃは指の滑りを低減するばかりか、指に過大な圧力が加わった持ち方をしてもその弾性力で圧力が緩和され、本体ハウジング１を握った際、あるいはダイヤル５３を操作する際において指に感じる違和感、刺激を激減できる。
【００４６】
（ダイヤル表示手段）
ダイヤル５３の中央部には、ダイヤル５３の回転状態を表示して刃ユニット９の設定高さを表示する手段１５が設けられている。以下、詳述する。
【００４７】
刃ユニット９の設定高さを固定するためにダイヤル５３の回転操作位置を固定するのであるが、これにはクリックばね５５を用いる。ダイヤル５３の裏面の外周部には凹所５６を周方向に間隔を隔て刃ユニット９の高さ調整をおこなう位置だけの数を設ける。本体ハウジング１の前面には固定部５７を設けてクリックばね５５を固定している。
【００４８】
また、ダイヤル５３の中央部に形成した表面凹所５８に表示した表示部においてダイヤル５３の回転角度を表示するようにしている。以下、詳述する。
【００４９】
ダイヤル５３の中央の孔５９を刃取付台６のボス６ａに貫通させている。ボス６ａの中心部にはねじ穴６ｂを設けている。ダイヤル５３の表面凹所５８に切欠き６０を形成した押さえ板６１を遊合し、ねじ６２を押さえ板６１、ダイヤル５３の孔５９に挿通して刃取付台６のボス６ａにねじ込んで、押さえ板６１を刃取付台６に固定して、ダイヤル５３をねじ６２を軸として回転操作することができるようにしている。ダイヤル５３の表面には、図１３（ａ）に示すように、「ｐｏｗｅｒｆｕｌ」「ｎｏｒｍａｌ」「ｍｉｌｄ」のような表示が付されている。押さえ板６１には隠し板６３がはめ込まれてねじ６２を隠している。
【００５０】
しかして、ダイヤル５３の回転位置によって凹部５６にクリックばね５５が係合してダイヤル５３を刃ユニット９の設定位置において固定するのであり、この場合、ダイヤル５３が回転するが、押さえ板６１が固定されて切欠き６０から上記の表示を見ることができて、刃ユニット９の設定位置が分かるのである。このようにダイヤル５３の回転位置を表示して刃ユニット９の設定高さを表示する手段１５の構成は変更することができるものである。
【００５１】
しかして、本体グリップ部２９ｂを片手で持ち、親指でダイヤル５３を回転動作をするとき、刃ユニット９の設定高さはクリック感・視覚の両感覚で認識でき、その表示位置は本体グリップ部２９ｂとダイヤル５３を挟んで反対側にあるため、ダイヤル５３の操作時に指で隠れることがなく、見やすいものである。
【００５２】
【発明の効果】
請求項１においては、外刃を備えた刃ユニットの設定高さを調整可能に構成するとともに本体ハウジングの正面側に操作スイッチを設けた電気かみそりであって、刃ユニットの高さを調整させるダイヤルを本体ハウジングの中央より刃ユニット側に設け且つ本体ハウジングの幅方向の中央部に位置させてあるから、刃ユニットの高さの設定はダイヤルの操作によっておこなうことができるのであり、使用者が刃ユニットの高さを意図的に調整することができることから、使用者の髭の濃さや髭の長さ、肌のデリケート度合、肌への押付力のばらつきに対処することができるのであり、しかも、ダイヤルは本体ハウジングの中央より刃ユニット側に設けてあることから、電気かみそりを持ちながら持ち手でダイヤルの操作を簡単におこなうことができるという利点がある。
【００５３】
その上、ダイヤルは本体ハウジングの幅方向の中央部に位置させてあるから、使用者の利き手に影響を与えないという利点がある。
【００５４】
請求項２においては、外刃を備えた刃ユニットの高さを調整可能に構成した電気かみそりであって、ダイヤルの裏面に偏心カム溝を設け、刃ユニット側に偏心カム溝に挿入される係合突起を設け、偏心カム溝に係合突起を挿入してダイヤルの回転によって刃ユニットを昇降可能に構成し、刃ユニットの高さを最も低い位置にする偏心カム溝とダイヤルの中心との距離を最小にしたから、外刃に対して内刃を押上げるばね力の反力により刃ユニットの高さが低い時ほど更に高さを引き下げる方向の操作力が大きくなるのであるが、偏心カム溝のダイヤルの回転中心からの距離を刃ユニットの設定高さ位置を最も低い位置にする際の溝部の距離が最小になっていて、刃ユニットの高さを引き下げる操作力を小さくすることができる。
【００５５】
請求項３においては、請求項２の構成に加えて、ダイヤルの裏面の偏心カム溝を円形に形成するとともにダイヤルの中心から偏心させて設けてあるから、請求項２の効果に加えて、ダイヤルの操作は同一方向への回転で刃ユニットの高さを自在に切り替えることができるという利点がある。
【００５６】
請求項４においては、請求項１乃至３のいずれかの構成に加えて、ダイヤルの表面に凹凸部を形成したから、請求項１乃至３のいずれかの効果に加えて、ダイヤルの回転操作性を高めることができるという利点がある。
【００５７】
請求項５においては、請求項４の構成に加えて、凹凸部を弾性材料にて形成させてあるから、請求項４の効果に加えて、ダイヤルの回転操作性を良好にかつ指当たりの刺激緩和を図ることができるという利点がある。
【００５８】
請求項６においては、請求項１乃至５のいずれかの構成に加えて、ダイヤルに刃ユニットの高さを表示する手段を設けてあるから、ダイヤルの回転位置によって刃ユニットの設定高さを目視によって分かり、使いやすいという利点がある。
【図面の簡単な説明】
【図１】本発明の実施の一形態の正面図である。
【図２】同上の正断面図である。
【図３】同上の側断面図である。
【図４】同上の要部の分解斜視図である。
【図５】同上の要部の分解斜視図である。
【図６】同上の要部の分解斜視図である。
【図７】同上の要部の分解斜視図である。
【図８】同上の要部の分解斜視図である。
【図９】同上の要部の分解斜視図である。
【図１０】同上の偏心カム溝の作用を示す説明図である。
【図１１】同上の偏心カム溝の作用を示す説明図である。
【図１２】（ａ）乃至（h）はダイヤルを示す正面図である。
【図１３】（ａ）（ｂ）（ｃ）はダイヤルにおける表示機能を示す正面図である。
【図１４】同上の他の実施の形態の断面図である。
【図１５】（ａ）ダイヤルの斜視図、（ｂ）（ｃ）は正面図である。
【図１６】同上の偏心カム溝の他の実施の形態を示す説明図である。
【図１７】本発明の偏心カム溝を示す説明図である。
【図１８】同上の偏心カム溝の他の実施の形態を示す説明図である。
【図１９】従来例の斜視図である。
【符号の説明】
１    本体ハウジング
４    外刃
９    刃ユニット
１４  外刃
１５  高さ調整表示手段
３３  係合突起
５２  偏心カム溝
５３  ダイヤル
【図１】
0004374732.tif 000002
【図２】
0004374732.tif 000003
【図３】
0004374732.tif 000004
【図４】
0004374732.tif 000005
【図５】
0004374732.tif 000006
【図６】
0004374732.tif 000007
【図７】
0004374732.tif 000008
【図８】
0004374732.tif 000009
【図９】
0004374732.tif 000010
【図１０】
0004374732.tif 000011
【図１１】
0004374732.tif 000012
【図１２】
0004374732.tif 000013
【図１３】
0004374732.tif 000014
【図１４】
0004374732.tif 000015
【図１５】
0004374732.tif 000016
【図１６】
0004374732.tif 000017
【図１７】
0004374732.tif 000018
【図１８】
0004374732.tif 000019
【図１９】
0004374732.tif 000020